(57)【要約】  【課題】冷蔵庫の扉の装飾に関し、装飾部品の固定時の信頼性を高め、外観品位を高めた扉を提供する。  【解決手段】冷蔵室扉１は、鋼板製の外板８と樹脂製の上部キャップ９と樹脂製の下部キャップ１０と装飾部品１１と台座１５と内板１２と発泡断熱材１３とからなり、装飾部品１１の裏面は発泡断熱材１３と直接的に接する構成とすることで、発泡断熱材１３の接着力により装飾部品１１が確実に固定され、経時変化や温度変化に対する装飾部品１１の固定信頼性が高まり、外観品位を維持することができる。【選択図】図２
2005140408.tif 000002
【特許請求の範囲】
【請求項１】
断熱箱体の前面開口部に扉を有する冷蔵庫において、前記扉は外板と内板と樹脂製キャップと装飾部品と台座と発泡断熱材とからなり、前記外板と前記台座に開口部を設け、前期開口部を覆うように前記装飾部品の裏面周縁部を前記台座に接着固定し、前記装飾部品の裏面を前記発泡断熱材と接触させ固定したことを特徴とする冷蔵庫。
【請求項２】
装飾部品は透明樹脂成形品またはガラスとし、発泡断熱材と接触する側の面に化粧を施したことを特徴とする請求項１に記載の冷蔵庫。
【請求項３】
装飾部品の化粧は、塗装、印刷、または転写成形により行うことを特徴とする請求項１または２に記載の冷蔵庫。
【請求項４】
装飾部品の化粧は、転写成形または、蒸着により鏡面加工を行うことを特徴とする請求項１から請求項３のいずれか一項に記載の冷蔵庫。
【発明の詳細な説明】
【技術分野】
【０００１】
本発明は、冷蔵庫の扉の装飾に関するものである。
【背景技術】
【０００２】
近年、冷蔵庫においては顧客ニーズに合わせて特徴ある外観が必要となっている。そこで、冷蔵庫の扉に高級感、品位向上を狙った装飾部品を取り付けているが、これまでの取り付け方法としては両面テープ、もしくは爪による引っ掛けであった。特に装飾部品が透明部品の場合は爪を付けると爪部に影が出来、品位を損ねるため、爪を付けずに両面テープのみの固定となっていた（例えば、特許文献1参照）。
【０００３】
以下、図面を参照しながら上記装飾部品の取り付け方法を説明する。
【０００４】
図５は従来の冷蔵庫扉の斜視図である。図３において１は冷蔵庫のドア構造体であり、上辺キャップドア２、下辺キャップドア３、パネルドア４、内板（図示せず）に囲まれた空間内に発泡断熱材を有する。上辺キャップドア２の中央部には突出したハンドル部５を有し、ハンドル部５の下部には装飾部品６を両面テープを用いて上辺キャップドア２に固定されている。また、パネルドア４のハンドル部５に対面して凹み部７を設け、ハンドル部５に手を入れやすいようにしている。
【特許文献１】特開２０００−２８３６４１号公報
【発明の開示】
【発明が解決しようとする課題】
【０００５】
しかしながら、装飾部品６の裏面を上辺キャップドア２に両面テープのみで固定しているため、経時変化、または温度変化により装飾部品６が剥がれてしまう問題があった。
【０００６】
また、装飾部品６に固定用の爪を設け、上辺キャップドア２に固定する方法も考えられるが、装飾部品６を透明部品とした場合、爪部に影ができ、品位を損ねてしまう問題があった。
【０００７】
本発明は上記従来の課題を解決するもので、装飾部品の固定時の信頼性を高め、外観品位を高めた扉を有する冷蔵庫を提供することを目的とする。
【課題を解決するための手段】
【０００８】
本発明の冷蔵庫は、内箱と外箱と前記内箱と外箱間の発泡断熱材とからなる断熱箱体の前面開口部に扉を有する冷蔵庫において、前記扉は外板と内板と樹脂製キャップと装飾部品と台座と発泡断熱材とからなり、前記台座と前記装飾部品の裏面を発泡断熱材と接触させ固定したものであり、台座と装飾部品は発泡断熱材の接着力により確実に固定することができる。
【発明の効果】
【０００９】
本発明の冷蔵庫は、内箱と外箱と前記内箱と外箱間の発泡断熱材とからなる断熱箱体の前面開口部に扉を有する冷蔵庫において、前記扉は外板と内板と樹脂製キャップと装飾部品と台座と発泡断熱材とからなり、前記台座と前記装飾部品の裏面を発泡断熱材と接触させ固定したものであり、台座と装飾部品は発泡断熱材の接着力により確実に固定され、信頼性を高めることができる。
【発明を実施するための最良の形態】
【００１０】
本発明の請求項１に記載の発明は、内箱と外箱と前記内箱と外箱間の発泡断熱材とからなる断熱箱体の前面開口部に扉を有する冷蔵庫において、前記扉は外板と内板と樹脂製キャップと装飾部品と台座と発泡断熱材とからなり、前記台座と前記装飾部品の裏面を発泡断熱材と接触させ固定したものであり、台座と装飾部品は発泡断熱材の接着力により確実に固定されている。
【００１１】
請求項２に記載の発明は、請求項1に記載の発明において、装飾部品は透明樹脂成形品またはガラスとし、発泡断熱材と接触する側の面に化粧を施したものあり、化粧面が装飾部品の透明部を透してみることにより深みのある高級感を与えることが出来る。
【００１２】
請求項３に記載の発明は、請求項１または２に記載の発明において、装飾部品の化粧は塗装、印刷、または転写成形により行うものであり、目的に応じて化粧面の装飾が可能となる。
【００１３】
本発明の請求項４に記載の発明は、請求項1から請求項３のいずれか一項に記載の発明において、装飾部品の化粧は転写成形または、蒸着により鏡面加工を施したものであり、冷蔵庫の扉に高級感をもたせる。
【００１４】
以下、本発明による冷蔵庫の実施の形態について、図面を参照しながら説明する。
【００１５】
（実施の形態１）
図１は、本発明の実施の形態による冷蔵庫の正面図、図２は、同実施の形態の冷蔵庫の側面断面図、図３は、同実施の形態の冷蔵庫の扉の斜視図、図４は、同実施の形態の冷蔵庫の扉の分解斜視図である。
【００１６】
図において、１冷蔵室扉は、鋼板製の外板８と樹脂で成形された上部キャップ９と樹脂で成形された下部キャッップ１０と装飾部品１１と内板１２と発泡断熱材１３からなる。ここで、外板８には穴１４、台座１５には穴１６を有し、穴１６の外周周縁部には接着部材としての両面テープ１７を設けている。
【００１７】
また、装飾部品１１は、透明樹を形成したもので、発泡断熱材１３と接触する側の面（C面）に化粧を施している。前記化粧は、塗装、印刷、蒸着、または転写成形によりおこなわれるもので、所望の化粧面を形成することが可能である。
【００１８】
上記構成において台座１５は穴１６と穴１４を位置決め基準とし両面テープを介して外板８に仮固定される。その後、装飾部品１１は、台座１５の凹部１８を位置決めとして両面テープを介して台座に仮固定される。その後、外板８の内側を上方に向け、発泡治具に固定する。そして発泡断熱材１３を流し込むとともに内板１２を覆い、冷蔵室扉１が完成する。従って、台座１５の穴１６周囲と装飾部品１１の裏面は発泡断熱材１３と直接接するので、発泡完了後、台座１５と装飾部品１１は発泡断熱材１３の接着力により確実に固定され、経時変化、または温度変化により装飾部品１１が剥がれてしまう等の問題が生じない。
【００１９】
また、装飾部品１１は、透明樹脂を成形したもので、発泡断熱材１３と接触する側の面（C面）に化粧を施しているので、化粧面が装飾部品の透明部を透かして見ることにより深みのある高級感を与えることができる。
【００２０】
また、装飾部品１１の化粧は、塗装、印刷、蒸着または転写成形により行われるもので、コスト的には塗装が最も安く、次いで印刷、転写成形の順であり、化粧面の美しさ、設計自由度の高さから言えば、転写成形が最も優れ、次いで印刷、塗装、蒸着の順となって
おり、目的に応じて化粧面の装飾が可能となる。なお、本実施の形態では転写により化粧面を構成している。また、装飾部品１１の装飾には鏡面加工を施しているので、外観の高級感を向上する。
【産業上の利用可能性】
【００２１】
以上のように本発明にかかる冷蔵庫は、扉の装飾部品を発泡断熱材の接着力により確実に固定して外観信頼性を高めることができ、同様の装飾部品を備えて発泡断熱材で構成した扉体に適用できる。
【図面の簡単な説明】
【００２２】
【図１】本発明の実施の形態による冷蔵庫の正面図
【図２】同実施の形態の冷蔵庫の扉の側面断面図
【図３】同実施の形態の冷蔵庫の扉の斜視図
【図４】同実施の形態の冷蔵庫の扉の分解斜視図
【図５】従来の冷蔵庫の扉の斜視図
【符号の説明】
【００２３】
１  冷蔵室扉
８  外板
９  上部キャップ
１０  下部キャップ
１１  装飾部品
１２  内板
１３  発泡断熱材
１５  台座
【図１】
2005140408.tif 000003
【図２】
2005140408.tif 000004
【図３】
2005140408.tif 000005
【図４】
2005140408.tif 000006
【図５】
2005140408.tif 000007